(57)【要約】【課題】伸縮性又は柔軟性が高められたファスナーテープをそうではないファスナーテープから区別するニーズがある。【解決手段】ファスナーテープ（５）は、ファスナーエレメント（６）が設けられる第１側縁部（５１）と、第１側縁部（５１）とは反対側の第２側縁部（５２）と、第１及び第２側縁部（５１，５２）の間に設けられるテープ主体部（５３）を含む。第１側縁部（５１）が、１以上のウエールに形成された１以上の鎖編糸を含む。第２側縁部（５２）が、鎖編糸を含まない。テープ主体部（５３）が、Ｍ以上のウエールに形成されたＭ以上の鎖編糸を含む。Ｍが、ファスナーテープ（５）に含まれるウエールの全数の１／３以上の自然数を示す。テープ主体部（５３）と第２側縁部（５２）の間に糸密度差がある。【選択図】図５
2020092829.tif 000002
【特許請求の範囲】
【請求項１】
編製のファスナーテープ（５）と、
前記ファスナーテープ（５）に対して取り付けられたファスナーエレメント（６）を備えるファスナーストリンガー（７）であって、
前記ファスナーテープ（５）は、前記ファスナーエレメント（６）が設けられる第１側縁部（５１）と、前記第１側縁部（５１）とは反対側の第２側縁部（５２）と、前記第１及び第２側縁部（５１，５２）の間に設けられるテープ主体部（５３）を含み、
前記第１側縁部（５１）が、１以上のウエールに形成された１以上の鎖編糸を含み、前記第２側縁部（５２）が、鎖編糸を含まず、前記テープ主体部（５３）が、Ｍ以上のウエールに形成されたＭ以上の鎖編糸を含み、前記Ｍが、前記ファスナーテープ（５）に含まれるウエールの全数の１／３以上の自然数を示し、
前記テープ主体部（５３）と前記第２側縁部（５２）の間に糸密度差がある、ファスナーストリンガー。
【請求項２】
前記Ｍが、前記ファスナーテープ（５）に含まれるウエールの全数の１／２以上の自然数を示す、請求項１に記載のファスナーストリンガー。
【請求項３】
前記テープ主体部（５３）に含まれる全ウエールに鎖編糸が含まれる、請求項１又は２に記載のファスナーストリンガー。
【請求項４】
前記第２側縁部（５２）に含まれる編み組織の種類の数は、前記第１側縁部（５１）及び前記テープ主体部（５３）に含まれる編み組織の種類の数よりも少ない、請求項１乃至３のいずれか一項に記載のファスナーストリンガー。
【請求項５】
前記第１側縁部（５１）及び前記テープ主体部（５３）が同一の種類の編み糸を含む、請求項１乃至４のいずれか一項に記載のファスナーストリンガー。
【請求項６】
前記第１側縁部（５１）及び前記テープ主体部（５３）は、１以上のトリコット糸を含む、請求項１乃至５のいずれか一項に記載のファスナーストリンガー。
【請求項７】
前記第１側縁部（５１）、前記テープ主体部（５３）、及び前記第２側縁部（５２）は、１以上のサテン糸を含む、請求項１乃至６のいずれか一項に記載のファスナーストリンガー。
【請求項８】
前記第２側縁部（５２）は、トリコット糸のループがウエール方向に沿って１コースおきに配されるウエール（Ｗ１２）と、このウエール（Ｗ１２）よりも前記テープ主体部（５３）から離間した位置に形成されたサテン糸のループを有する、請求項７に記載のファスナーストリンガー。
【請求項９】
前記第１側縁部（５１）、前記テープ主体部（５３）、及び前記第２側縁部（５２）は、複数のウエールに亘る振り幅で振幅する１以上の挿入糸を含む、請求項１乃至６のいずれか一項に記載のファスナーストリンガー。
【請求項１０】
前記テープ主体部（５３）に含まれる少なくとも一つの糸の色が、前記第２側縁部（５２）及びテープ主体部（５３）に含まれる他の糸の色とは異なる、請求項１乃至９のいずれか一項に記載のファスナーストリンガー。
【請求項１１】
前記第２側縁部（５２）と前記テープ主体部（５３）の境界に隣接するウエールに少なくとも部分的に含まれる少なくとも一つの糸の色が、前記第２側縁部（５２）及びテープ主体部（５３）に含まれる他の糸の色とは異なる、請求項１乃至１０のいずれか一項に記載のファスナーストリンガー。
【請求項１２】
前記テープ主体部（５３）には糸の選択的除去に応じたパターンが形成される、請求項１乃至１１のいずれか一項に記載のファスナーストリンガー。
【請求項１３】
一対のファスナーストリンガー（７）と、
一対のファスナーストリンガー（７）を開閉するためのスライダー（８）を備えるスライドファスナー（９）であって、
各ファスナーストリンガー（７）が、請求項１乃至１１のいずれか一項に記載のファスナーストリンガー（７）であり、
前記スライダー（８）は、ベース板（８１）、ベース板（８１）に設けられた柱部（８２）、ベース板の左右の側縁部に設けられた左右の壁部（８３）、及び左右の壁部（８３）の上部から柱部（８２）に向けて延びる左右の上板（８４）を備える、スライドファスナー。
【発明の詳細な説明】
【技術分野】
【０００１】
本開示は、ファスナーストリンガー及びスライドファスナーに関する。
【背景技術】
【０００２】
特許文献１には、同文献の図３及び図６の対比から分かるように、ウエールＷ１３の鎖編糸を溶融させ、ファスナーテープの伸縮性又は柔軟性を高めることが開示されている。また、同文献には、テープ主体部１１ａの第４乃至第６ウエールＷ４〜Ｗ６に補強用鎖編糸を設け、スライダーのフランジ部の接触に対する耐性を高めることが開示されている（同文献の段落００６４参照）。
【０００３】
特許文献２には識別糸を布テープに織り込み、スライドファスナーを区別することを開示する。
【先行技術文献】
【特許文献】
【０００４】
【特許文献１】国際公開第２０１１／００７４１１号
【特許文献２】特開２００１−２１１９１３号公報
【発明の概要】
【発明が解決しようとする課題】
【０００５】
伸縮性又は柔軟性が高められたファスナーテープをそうではないファスナーテープから区別するニーズがある。伸縮性又は柔軟性が高められたファスナーテープのテープ主体部に対して鎖編組織を導入すると、ファスナーテープの伸縮性又は柔軟性が低下してしまう。従って、スライダーのフランジ部との接触箇所に限定して鎖編組織をファスナーテープに対して局所的に導入する場合を除いて、高められた伸縮性又は柔軟性を有するべきファスナーテープに対して鎖編組織を導入することは通常行われない。本願発明者は、このような従来技術に反して本発明を想到した。
【課題を解決するための手段】
【０００６】
本開示の一態様に係るファスナーストリンガーは、
編製のファスナーテープと、
前記ファスナーテープに対して取り付けられたファスナーエレメントを備えるファスナーストリンガーであって、
前記ファスナーテープは、前記ファスナーエレメントが設けられる第１側縁部と、前記第１側縁部とは反対側の第２側縁部と、前記第１及び第２側縁部の間に設けられるテープ主体部を含み、
前記第１側縁部が、１以上のウエールに形成された１以上の鎖編糸を含み、前記第２側縁部が、鎖編糸を含まず、前記テープ主体部が、Ｍ以上のウエールに形成されたＭ以上の鎖編糸を含み、前記Ｍが、前記ファスナーテープに含まれるウエールの全数の１／３以上の自然数を示し、
前記テープ主体部と前記第２側縁部の間に糸密度差がある、ファスナーストリンガー。
【０００７】
幾つかの実施形態においては、前記Ｍが、前記ファスナーテープに含まれるウエールの全数の１／２以上の自然数を示す。
【０００８】
幾つかの実施形態においては、前記テープ主体部に含まれる全ウエールに鎖編糸が含まれる。
【０００９】
幾つかの実施形態においては、前記第２側縁部に含まれる編み組織の種類の数は、前記第１側縁部及び前記テープ主体部に含まれる編み組織の種類の数よりも少ない。
【００１０】
幾つかの実施形態においては、前記第１側縁部及び前記テープ主体部が同一の種類の編み糸を含む。
【００１１】
幾つかの実施形態においては、前記第１側縁部及び前記テープ主体部は、１以上のトリコット糸を含む。
【００１２】
幾つかの実施形態においては、前記第１側縁部、前記テープ主体部、及び前記第２側縁部は、１以上のサテン糸を含む。
【００１３】
幾つかの実施形態においては、前記第２側縁部は、トリコット糸のループがウエール方向に沿って１コースおきに配されるウエールと、このウエールよりも前記テープ主体部から離間した位置に形成されたサテン糸のループを有する。
【００１４】
幾つかの実施形態においては、前記第１側縁部、前記テープ主体部、及び前記第２側縁部は、複数のウエールに亘る振り幅で振幅する１以上の挿入糸を含む。
【００１５】
幾つかの実施形態においては、前記テープ主体部に含まれる少なくとも一つの糸の色が、前記第２側縁部及びテープ主体部に含まれる他の糸の色とは異なる。
【００１６】
幾つかの実施形態においては、前記第２側縁部と前記テープ主体部の境界に隣接するウエールに少なくとも部分的に含まれる少なくとも一つの糸の色が、前記第２側縁部及びテープ主体部に含まれる他の糸の色とは異なる。
【００１７】
幾つかの実施形態においては、前記テープ主体部には糸の選択的除去に応じたパターンが形成される。
【００１８】
本開示の一態様に係るスライドファスナーは、一対のファスナーストリンガーと、
一対のファスナーストリンガーを開閉するためのスライダーを備えるスライドファスナーであって、
各ファスナーストリンガーが、上述のいずれかのファスナーストリンガーであり、
前記スライダーは、ベース板、ベース板に設けられた柱部、ベース板の左右の側縁部に設けられた左右の壁部、及び左右の壁部の上部から柱部に向けて延びる左右の上板を備える。
【発明の効果】
【００１９】
本開示の一態様によれば、鎖編組織が存在するテープ主体部と鎖編組織が存在しない第２側縁部の間に糸密度差を生じさせ、伸縮性又は柔軟性が高められたファスナーテープに関する指標が得られる。
【図面の簡単な説明】
【００２０】
【図１】本開示の一態様に係るスライドファスナーの概略的な正面図である。
【図２】スライドファスナーの概略的な断面構成を示す模式図であり、スライドファスナーのスライダーが一点鎖線により模式的に示される。
【図３】スライダーの概略的な上面模式図である。
【図４】本開示の一態様に係るファスナーテープの概略的な編み組織を示す図であり、第２側縁部に対して水溶性の鎖編糸と水溶性のトリコット糸が編み込まれている。
【図５】水溶性糸の除去後のファスナーテープの概略的な編み組織を示す図であり、テープ主体部から最も離れた第２側縁部のウエールにはサテン糸のループと編み糸が存在しない空間がウエール方向に沿って交互に設けられる。
【図６】第２側縁部に含まれる３つのウエールの３本の水溶性の鎖編糸の除去後のファスナーテープの概略的な編み組織を示す図であり、テープ主体部から最も離れた第２側縁部のウエールにおいてサテン糸のループとトリコット糸のループがウエール方向に沿って交互に設けられる。
【図７】ファスナーテープの編み組織に含まれる編み組織の種類を示す参考図である。
【図８】図５に示したファスナーテープの第２側縁部及びテープ主体部の隣接部分の編み糸の状態を示す概略的な模式図である。
【図９】図６に示したファスナーテープの第２側縁部及びテープ主体部の隣接部分の編み糸の状態を示す概略的な模式図である。
【図１０】テープ主体部の鎖編糸の色が第２側縁部及びテープ主体部の他の糸の色とは異なる形態を示す図である。
【図１１】第２側縁部及びテープ主体部の境界を間に挟む２つのウエールにおいてループを形成するトリコット糸の色が第２側縁部及びテープ主体部の他の糸の色とは異なる形態を示す図である。
【図１２】第２側縁部のトリコット糸の色が第２側縁部及びテープ主体部の他の糸の色とは異なる形態を示す図である。
【図１３】テープ主体部のトリコット糸の色が第２側縁部及びテープ主体部の他の糸の色とは異なる形態を示す図である。
【図１４】テープ主体部のサテン糸が選択的に除去された形態を示す図である。
【発明を実施するための形態】
【００２１】
以下、図１乃至図１４を参照しつつ、様々な非限定の実施形態について説明する。ある実施形態に関して記述されるある特徴は、その実施形態に限らず、本願に図示又は説明されていない他の様々な実施形態に通用するものと理解される。従って、ある実施形態から抽出されるある特徴は、その実施形態から抽出される他の特徴との組み合わせを必ずしも必要としないものと理解される。参照図面は、発明の記述を主たる目的とするものであり、作図の便宜のために簡略化されている場合がある。
【００２２】
図１に示すように、スライドファスナー９は、左右一対のファスナーストリンガー７と、左右一対のファスナーストリンガー７を開閉するためのスライダー８を有する。各ファスナーストリンガー７は、ファスナーテープ５と、ファスナーテープ５に対して取り付けられたファスナーエレメント６を有する。スライダー８の前進により左右のファスナーストリンガー７が閉じられ、また左右のファスナーエレメント６が係合する。スライダー８の後進により左右のファスナーストリンガー７が開けられ、また左右のファスナーエレメント６が非係合になる。本明細書においては、前後方向がスライダー８の移動に即して理解される。左右方向は、スライダー８により開閉される左右のファスナーストリンガー７或いは左右のファスナーエレメント６に即して理解される。上下方向は、前後方向及び左右方向に直交する方向である。
【００２３】
図１及び図２に示すように、ファスナーテープ５は、ファスナーエレメント６が設けられる第１側縁部５１と、ファスナーテープ５の幅方向及び／又はコース方向において第１側縁部５１とは反対側の第２側縁部５２と、ファスナーテープ５の幅方向及び／又はコース方向において第１及び第２側縁部５１，５２の間に設けられるテープ主体部５３を含む。ファスナーテープ５は、後述のように編み組織、より端的には、経編組織を含み、ウエール方向に沿うファスナーテープ５の過度な伸縮が抑制されている。なお、原則として、ファスナーテープ５に関するウエール方向は、スライドファスナー９に関する前後方向に一致する。ファスナーテープ５に関するコース方向は、スライドファスナー９に関する左右方向に一致する。
【００２４】
ファスナーエレメント６は、コイル状エレメントであり、第１側縁部５１に対して縫い糸により縫い付けられている。ファスナーテープ５の編成と一緒にコイル状エレメントがファスナーテープ５の編組織に組み込まれる形態も想定される。言うまでも無く、ファスナーエレメント６が樹脂又は金属製エレメントである形態も想定される。
【００２５】
必ずしもこの限りではないが、スライドファスナー９は、隠しスライドファスナーである。ファスナーテープ５の第１側縁部５１がテープ主体部５３の下方に折り返されてテープ主体部５３の下方に配置される。第１側縁部５１とテープ主体部５３の間の隙間は、後述のスライダー８の上板８４の通路として機能する。
【００２６】
テープ主体部５３が上面５３ａと下面５３ｂを有し、第１側縁部５１が上面５１ａと下面５１ｂを有する。第１側縁部５１の折り返しのため、第１側縁部５１の上面５１ａがテープ主体部５３の下面５３ｂと連続性を有する。換言すれば、第１側縁部５１の上面５１ａとテープ主体部５３の下面５３ｂが、ファスナーテープ５の下面に含まれる。第１側縁部５１の折り返しのため、第１側縁部５１の下面５１ｂがテープ主体部５３の上面５３ａと連続性を有する。ファスナーエレメント６は、第１側縁部５１の下面５１ｂに縫い付けられる。ファスナーエレメント６の係合頭部６１は、そのファスナーエレメント６が取り付けられたファスナーテープ５の折り返し部５９よりも左右方向において突出するように設けられる。左右のファスナーストリンガー７が閉じられる時、各ファスナーテープ５の折り返し部５９が図２に模式的に示すように接触することは必ずしも必須ではない。
【００２７】
スライダー８は樹脂製又は金属製又はセラミックス製であるが、これに限定されるものではない。スライダー８は、図２及び図３に示すように、ベース板８１、ベース板８１に設けられた柱部８２、ベース板の左右の側縁部に設けられた左右の壁部８３、及び左右の壁部８３の上部から柱部８２に向けて延びる左右の上板８４を含む。柱部８２がベース板８１の左右中央に設けられる。柱部８２の左右には左右一対の前口８６が設けられる。この左右一対の前口８６に対して前後方向において反対側に一つの後口８７が設けられる。柱部８２と左右の壁部８３によりＹ字状のエレメント通路が形成される。左右の前口８６を介してスライダー８内に進入した左右のファスナーエレメント６は、柱部８２を通過した後、互いに係合する。後口８７を介してスライダー８内に進行した係合した左右のファスナーエレメント６は、柱部８２を通過する際、お互いに非係合になる。
【００２８】
スライダー８を上面視すると、スライダー８の柱部８２と左右の上板８４により左右のファスナーテープ５のためのＹ字状のテープ通路が形成されることが分かる。図４及び図５に示すように、幾つかの形態では、ファスナーテープ５の第１側縁部５１の近傍にあるテープ主体部５３の部分、端的には、折り返し部５９には鎖編組織が導入される。テープ主体部５３の折り返し部５９とスライダー８の上板８４の接触又は摩擦によりテープ主体部５３が摩耗してしまうことが抑制される。なお、スライダー８の柱部８２の上部には引手取付部８５が設けられる。
【００２９】
湾曲線に沿って生地に対してファスナーテープ５が縫い付けられることを想定する。この場合、生地に対するファスナーテープ５の縫い位置を示す破線Ｌ１（図１参照）が湾曲し、この結果として、破線Ｌ１に平行に延びる第２側縁部５２も湾曲する。第２側縁部５２に伸縮性がない場合、ファスナーテープ５又は生地に皺が発生してしまう。従って、このような用途に見合うべくファスナーテープ５に伸縮性又は柔軟性を付与することが望まれる。他方、伸縮性又は柔軟性が高められたファスナーテープを非伸縮性又は低柔軟性のファスナーテープから区別するニーズもある。伸縮性又は柔軟性が高められたファスナーテープと非伸縮性又は低柔軟性のファスナーテープの混同が生じると、上述のような皺の発生に帰結し、スライドファスナー９が縫い付けられる製品、例えば、縫製後の女性用ドレスの外観が損なってしまう。なお、非伸縮性又は低柔軟性の一例のファスナーテープは、第２側縁部５２に鎖編組織を含む。
【００３０】
本実施形態においては、後述の説明から理解されるように、第１側縁部５１が、１以上のウエールに形成された１以上の鎖編糸を含み、第２側縁部５２が、鎖編糸を含まず、テープ主体部５３が、Ｍ以上のウエールに形成された１以上の鎖編糸を含む。ここで、Ｍが、ファスナーテープ５に含まれるウエールの全数の１／３以上の自然数を示す。更には、テープ主体部５３と第２側縁部５２の間に糸密度差がある。鎖編組織が存在するテープ主体部５３と鎖編組織が存在しない第２側縁部５２の間に糸密度差が生じ、伸縮性又は柔軟性が高められたファスナーテープ５に関する指標が得られる。伸縮性又は柔軟性が高められたファスナーテープ５とそうでないファスナーテープの区別が促進される。幾つかの形態では、テープ主体部５３と第２側縁部５２の間に視認可能な糸密度差がある。また、幾つか形態では、Ｍが、ファスナーテープ５に含まれるウエールの全数の１／２以上の自然数を示す。
【００３１】
図４は、ファスナーテープ５の概略的な編み組織を示す図であり、第２側縁部５２に対して水溶性の鎖編糸と水溶性のトリコット糸が編み込まれている。なお、水溶性の糸はトリコット糸以外の糸でもよい。図５は、水溶性糸の除去後のファスナーテープの概略的な編み組織を示す図である。図４に示すように、ファスナーテープ５は、経編組織から成る。経編組織は、鎖編組織、トリコット組織、及びサテン組織を含む。換言すれば、経編組織は、鎖編糸、トリコット糸、及びサテン糸が編成されて成る。
【００３２】
ファスナーテープ５は、合計１３個のウエールＷ１〜Ｗ１３を有する。第１側縁部５１がウエールＷ１，Ｗ２，Ｗ３を含む。第２側縁部５２がウエールＷ１２，Ｗ１３を含む。テープ主体部５３がウエールＷ４，Ｗ５，Ｗ６，Ｗ７，Ｗ８，Ｗ９，Ｗ１０，Ｗ１１を含む。なお、第１側縁部５１、第２側縁部５２、テープ主体部５３それぞれのウエールの数は、これに限定されるものではない。第１側縁部５１、第２側縁部５２、及びテープ主体部５３は、それぞれ、鎖編組織（鎖編糸）、トリコット組織（トリコット糸）、及びサテン組織（サテン糸）を含む。但し、図４，５の対比から分かるように、第２側縁部５２の鎖編糸とトリコット糸は、ファスナーテープ５の編成後に除去される。従って、第２側縁部５２に含まれる編み組織の種類の数は、第１側縁部５１及びテープ主体部５３に含まれる編み組織の種類の数よりも少なくなる。
【００３３】
図７に示すように、鎖編糸５５は、１つのウエールに沿ってコース毎にループを形成するように編まれ、鎖編組織を形成する。鎖編組織は、１以上又は複数の鎖編糸から形成される。トリコット糸５６は、隣接するウエールにおいて交互にループを形成しながらウエール方向に編まれ、トリコット組織を形成する。トリコット組織は、１以上又は複数のトリコット糸から形成される。サテン糸５７は、複数のウエールを間に挟む異なるウエールにおいて交互にループを形成しながらウエール方向に編まれ、サテン組織を形成する。サテン組織は、１以上又は複数のサテン糸から形成される。
【００３４】
サテン糸５７の追加又は代替としてループを形成しない挿入糸５８を採用可能である。挿入糸５８は、ループを形成することなく複数のウエールに亘る振り幅で振幅し、他の編み組織（トリコット組織及び／又は鎖編組織）に挿入される。
【００３５】
図４に示したファスナーテープ５の第２側縁部５２に含まれる２つの鎖編糸が、ファスナーテープ５の編成後に除去される。一方法として、水溶性の鎖編糸の採用が考えられる。例えば、図４に示したファスナーテープ５は、ファスナーテープ５の編成後、染色工程において染色液に浸される。この際、ファスナーテープ５の第２側縁部５２の水溶性の鎖編糸が染色液の液中に溶解する。なお、鎖編糸を事後的に除去する他の様々な方法が採用可能である。
【００３６】
図４に示したファスナーテープ５の第２側縁部５２に含まれる１つのトリコット糸が、ファスナーテープ５の編成後に除去される。一方法として、水溶性のトリコット糸の採用が考えられる。図４に示したファスナーテープ５は、ファスナーテープ５の編成後、染色工程において染色液に浸される。この際、ファスナーテープ５の第２側縁部５２の水溶性のトリコット糸が染色液の液中に溶解する。なお、トリコット糸を事後的に除去する他の様々な方法が採用可能である。図４に示したファスナーテープ５の他の糸は、非水溶性の糸である。非水溶性糸及び水溶性糸は、いずれも市場において入手可能である。
【００３７】
図４に示したファスナーテープ５の第２側縁部５２における２つの水溶性の鎖編糸と１つのトリコット糸の除去後、図５に示すファスナーテープ５が得られる。テープ主体部５３から最も離れた第２側縁部５２のウエールＷ１３にはサテン糸のループと編み糸が存在しない空間とがウエール方向に沿って交互に設けられる。第２側縁部５２のウエールＷ１２，Ｗ１３に形成されるサテン糸のループは、複数のウエールを間に挟む異なるウエールにおいて交互に形成されるループの一方であり、他方のループはテープ主体部５３において形成される。第２側縁部５２の異なるウエールＷ１２，Ｗ１３において、サテン糸のループとトリコット糸のループとがウエール方向に沿って交互に設けられる。第２側縁部５２のウエールＷ１２に形成されるトリコット糸のループは、隣接するウエールにおいて交互に形成されるループの一方であり、他方のループはテープ主体部５３において形成される。テープ主体部５３から最も離れた第２側縁部５２のウエールＷ１３に隣接するウエールＷ１２にはトリコット糸のループとサテン糸のループがウエール方向に沿って交互に設けられる。トリコット糸のループがウエール方向に沿って１コースおきに配されるウエールＷ１２よりもテープ主体部５３から離れた位置にサテン糸のループが形成される。また、サテン糸のループは、ウエールＷ１２のトリコット糸のループが配されないコースにおいて１コースおきに形成される。図５に示すように第２側縁部５２が２つのウエールＷ１２，Ｗ１３から成ることは必須ではなく、第２側縁部５２が追加のウエールを含む形態も想定される。
【００３８】
図５に示すファスナーテープ５のテープ主体部５３は、８つのウエールに形成された１以上の鎖編糸を含み、より端的には、８つのウエールに形成された８本の鎖編糸を含む。ファスナーテープ５に含まれるウエールの全数が１３である。他方、テープ主体部５３に含まれるウエールの数が８である。８＞（１３／３）を満足する。更には、８＞（１３／２）を満足する。一方、テープ主体部５３は、鎖編組織を含み、糸密度が大きい。他方、第２側縁部５２は、鎖編糸を含まず、糸密度が低い。第２側縁部５２とテープ主体部５３の糸密度差が視認可能であり、伸縮性又は柔軟性が高められたファスナーテープに関する指標が得られる。
【００３９】
冒頭で述べたように、ファスナーテープ５（特に、テープ主体部５３）に対して鎖編糸を導入すると、ファスナーテープ５の伸縮性又は柔軟性が低下してしまう。本願発明では、このような従来技術に反してファスナーテープ５のテープ主体部５３に対して鎖編糸を導入し、これにより第２側縁部５２とテープ主体部５３の糸密度差によるファスナーテープ５の種類の指標が得られることを新たに見出した。第２側縁部５２に鎖編糸が存在しないため、ファスナーテープ５の必要十分な程度の伸縮性又は柔軟性が得られる。従って、湾曲線に沿って生地に対してファスナーテープ５を縫い付ける場合においても、ファスナーテープ５又は生地に皺が発生してしまうことが抑制される。
【００４０】
ファスナーテープ５の伸縮性又は柔軟性が大きすぎると、左右のファスナーストリンガー７の開閉に際して、左右のファスナーエレメント６が上手く係合しないおそれがある。ファスナーテープ５が過度に柔軟になると、閉状態の左右のファスナーストリンガー７の横引き強度が低下してしまうおそれがある。本実施形態においては、テープ主体部５３の硬さと第２側縁部５２の柔らかさが上手く両立し、皺の発生の抑制に限らず、ファスナーエレメント６の円滑な係合及び必要十分な横引き強度の確保が促進される。
【００４１】
図６は、図５とは異なり、ウエールＷ１１〜Ｗ１３に編み込まれた水溶性の鎖編糸が除去されたファスナーテープ５を示す。図６に示すように、第２側縁部５２が３つのウエールＷ１１〜Ｗ１３を含む。第２側縁部５２においてテープ主体部５３から最も離れたウエールＷ１３においてサテン糸のループとトリコット糸のループがウエール方向に沿って交互に設けられる。この場合も、第２側縁部５２のウエールＷ１１、Ｗ１２、Ｗ１３に形成されるサテン糸のループは、複数のウエールを間に挟む異なるウエールにおいて交互に形成されるループの一方であり、他方のループはテープ主体部５３において形成される。また、第２側縁部５２のウエールＷ１２、Ｗ１３に形成されるトリコット糸のループは、隣接するウエールにおいて交互に形成されるループの一方であり、他方のループも第２側縁部５２において形成される。ウエールＷ１１に形成されるトリコット糸のループの他方のループは、テープ主体部５３において形成される。このような形態においても上述と同様の効果が得られる。
【００４２】
図８は、図５に示したファスナーテープ５の第２側縁部５２及びテープ主体部５３の隣接部分の編み糸の状態を示す概略的な模式図である。図９は、図６に示したファスナーテープ５の第２側縁部５２及びテープ主体部５３の隣接部分の編み糸の状態を示す概略的な模式図である。図８に示すファスナーテープ５の第２側縁部５２の糸密度とテープ主体部５３の糸密度の間には差がある。端的には、ファスナーテープ５の第２側縁部５２の糸密度は、テープ主体部５３の糸密度よりも小さい。ファスナーテープ５の第２側縁部５２の鎖編糸に加えてトリコット糸も除かれることにより第２側縁部５２の糸密度がより小さくなる。結果として、第２側縁部５２とテープ主体部５３の糸密度差がより大きくなる。
【００４３】
糸密度は、単位空間に占める糸の合計体積の比により表され、或いは、ファスナーテープ５の上面又は下面の単位面積当たりの糸の本数又は重量により表される。追加又は代替として、糸密度は、ファスナーテープ５の上面又は下面の単位面積当たりの光透過率により表される。糸密度と光透過率には相関性があり、糸密度の減少に応じて光透過率が増加する。従って、光透過率に基づいて糸密度を特定することができる。
【００４４】
図８に示したファスナーテープ５の第２側縁部５２を生地に対して縫い付ける場合、ウエールＷ１２の外側に縫われて縫い糸がウエールＷ１３のサテン糸のループの間の隙間を通過すると、ファスナーテープ５の第２側縁部５２が生地に対して縫い付けられない。上述のように、ウエールＷ１２，Ｗ１３に交互にループを形成していたトリコット糸が除去されているためである。ただし、第２側縁部５２には、サテン糸のループとトリコット糸のループがウエール方向に沿って交互に設けられるウエールＷ１２が存在し、ウエールＷ１２の内側を縫製位置とした場合には、ウエールＷ１２が抜け止めの役割を果たす。
【００４５】
図８と同様、図９に示すファスナーテープ５の第２側縁部５２の糸密度とテープ主体部５３の糸密度の間には差がある。端的には、ファスナーテープ５の第２側縁部５２の糸密度は、テープ主体部５３の糸密度よりも小さい。図８のファスナーテープ５と比較して、図９のファスナーテープ５は、第２側縁部５２の鎖編糸に加えてトリコット糸が除かれておらず、第２側縁部５２においてより大きい糸密度を有する。しかしながら、依然として、この第２側縁部５２の糸密度は、鎖編組織が導入されたテープ主体部５３の糸密度よりも小さい。
【００４６】
図９に示すファスナーテープ５の第２側縁部５２を生地に対して縫い付ける場合、ウエールＷ１２の外側に縫われて縫い糸がウエールＷ１３を通過する場合にもファスナーテープ５の第２側縁部５２が生地に対して縫い付けられる。図８とは異なり、ウエールＷ１２，Ｗ１３に交互にループを形成するトリコット糸が除去されていないためである。この場合は、ウエールＷ１２、ウエールＷ１３はどちらも抜け止めの役割を果たす。なお、第２側縁部５２が、生地、例えば、衣服の裏生地に対して縫い付けられない形態も想定される。
【００４７】
上述の説明から分かるように、本実施形態においては、第１側縁部５１が、１以上のウエールに形成された１以上の鎖編糸を含み、第２側縁部５２が、鎖編糸を含まず、テープ主体部５３が、Ｍ以上のウエールに形成された１以上の鎖編糸を含む。ここで、Ｍが、ファスナーテープ５に含まれるウエールの全数の１／３以上の自然数を示す。更には、テープ主体部５３と第２側縁部５２の間に糸密度差がある。鎖編組織が存在するテープ主体部５３と鎖編組織が存在しない第２側縁部５２の間に糸密度差が生じ、伸縮性又は柔軟性が高められたファスナーテープ５に関する指標が得られる。伸縮性又は柔軟性が高められたファスナーテープ５とそうでないファスナーテープの区別が促進される。
【００４８】
また、本開示に係るファスナーテープ５では、既存の編機の状態変更の必要性を回避し、又はその程度を低減することができる。図４に示した編み組織のファスナーテープでは全ウエールＷ１〜Ｗ１３で鎖編糸が編まれる（但し、ウエールＷ１２，Ｗ１３では水溶性の鎖編糸が編成される）。幾つかのウエールで鎖編糸が編成されないように編機の状態を変更すると、編機を元の状態に戻す場合、無視できない作業負担、例えば、編機の複雑な機構に糸を通す作業負担が生じてしまう。本開示に係るファスナーテープ５では、全ウエールＷ１〜Ｗ１３にて鎖編糸が編まれ、そのような編機の状態変更の必要性が回避される。なお、第２側縁部５２における鎖編み糸と同様、テープ主体部５３の鎖編糸のために水溶性糸を採用すると、許容できないコスト増に帰結してしまう。
【００４９】
幾つかの形態では、図１０に示すように、テープ主体部５３に含まれる少なくとも一つの糸の色が、第２側縁部５２及びテープ主体部５３に含まれる他の糸の色とは異なる。第２側縁部５２よりも糸密度が大きいテープ主体部５３において選択的に１以上の糸の色が、第２側縁部５２及びテープ主体部５３の他の糸の色と比較して変えられる。伸縮性又は柔軟性が高められた第２側縁部５２の追加の指標及び／又は生地に対するファスナーテープ５の縫い位置の指標が得られる。
【００５０】
テープ主体部５３は、複数の鎖編糸、複数のトリコット糸、及び複数のサテン糸を含む。鎖編糸、トリコット糸、及びサテン糸から選択される１以上の糸の色が変えられる。鎖編糸とトリコット糸の両方について２以上の糸の色が変えられる形態、トリコット糸とサテン糸の両方について２以上の糸の色が変えられる形態、鎖編糸とサテン糸の両方について２以上の糸の色が変えられる形態、鎖編糸、トリコット糸、サテン糸の全てについて３以上の糸の色が変えられる形態が想定される。
【００５１】
図１０では、第２側縁部５２に隣接するテープ主体部５３のウエールＷ１０の鎖編糸の色が、第２側縁部５２及びテープ主体部５３の他の編み糸の色とは異なる。例えば、ウエールＷ１０の鎖編糸の色が黄色であり、他のウエールＷ４〜Ｗ９の鎖編糸の色が黒色である。ファスナーテープ５に含まれる全てのトリコット糸とサテン糸の色が黒色である。鎖編糸の存在のため糸密度が大きい地色が黒色のテープ主体部５３において黄色の鎖編糸を視覚的に容易に特定することができる。ウエールＷ１０の黄色の鎖編糸は、伸縮性又は柔軟性が高められた第２側縁部５２の指標及び／又は生地に対するファスナーテープ５の縫い位置の指標となる。なお、ファスナーテープ５の地色は、典型的には黒色であるが、これ以外の色、例えば、赤色、青色であり得る。
【００５２】
鎖編糸の色を選択的に変えることの代替として、第２側縁部５２とテープ主体部５３の境界近傍のトリコット糸の色を選択的に変える形態も想定される。ウエールＷ１０，Ｗ１１又はウエールＷ９，Ｗ１０において交互にループを形成してウエール方向に編成されるトリコット糸の色が、第２側縁部５２及び／又はテープ主体部５３における他の編み糸の色とは異なる。
【００５３】
図１０に示す場合、第２側縁部５２とテープ主体部５３の境界に隣接するウエールＷ１０に少なくとも部分的に含まれる少なくとも一つの糸の色（図１０において、この糸が太く描かれる）が、第２側縁部５２及びテープ主体部５３に含まれる他の糸の色とは異なる。端的には、図１０のウエールＷ１０の鎖編糸の色が選択的に変えられる。図１０のウエールＷ１０の鎖編糸が、第２側縁部５２とテープ主体部５３の境界、又は、適切な縫い位置の指標になる。一例として、上述のように、ファスナーテープ５の地色が黒色であり、ウエールＷ１０の鎖編糸が黄色である。なお、第２側縁部５２とテープ主体部５３の境界は、ウエールＷ１０，Ｗ１１の間にある。
【００５４】
図１１に示す場合、第２側縁部５２とテープ主体部５３の境界に隣接するウエールＷ１０，Ｗ１１に少なくとも部分的に含まれる少なくとも一つの糸（図１１において、この糸が太く描かれる）の色が、第２側縁部５２及びテープ主体部５３に含まれる他の糸の色とは異なる。図１１のウエールＷ１０，Ｗ１１で交互にループを形成してウエール方向に編形されたトリコット糸の色が選択的に変えられる。図１１のウエールＷ１０，Ｗ１１のトリコット糸が、第２側縁部５２とテープ主体部５３の境界、すなわち、適切な縫い位置の指標になる。一例として、上述のように、ファスナーテープ５の地色が黒色であり、ウエールＷ１０，１１のトリコット糸が黄色である。
【００５５】
図１２に示す場合、図１１と同様、第２側縁部５２とテープ主体部５３の境界に隣接するウエールＷ１１に少なくとも部分的に含まれる少なくとも一つの糸（太線で描かれたトリコット糸）の色が、第２側縁部５２及びテープ主体部５３に含まれる他の糸の色とは異なる。太線のトリコット糸は、ウエールＷ１１とウエールＷ１２で交互にループを形成するようにウエール方向に編形される。
【００５６】
図１３に示す場合、図１１及び図１２と同様、第２側縁部５２とテープ主体部５３の境界に隣接するウエールＷ１０に少なくとも部分的に含まれる少なくとも一つの糸（太線で描かれたトリコット糸）の色が、第２側縁部５２及びテープ主体部５３に含まれる他の糸の色とは異なる。太線のトリコット糸は、ウエールＷ９とウエールＷ１０で交互にループを形成するようにウエール方向に編形される。図１０乃至図１３に示す例の様々な組み合わせが想定される。鎖編糸及びトリコット糸の代替としてサテン糸又は挿入糸の色が変えられる形態も想定される。
【００５７】
第２側縁部５２とテープ主体部５３の境界を跨ぐように編まれるサテン糸又は挿入糸の色を選択的に変える形態も想定される。一例において、ウエールＷ９とウエールＷ１２で交互にループを形成してウエール方向に編成されるサテン糸の色が、第２側縁部５２及び／又はテープ主体部５３における他の編み糸の色とは異なる。なお、編み糸の色を異ならせる方法としては、異なる色の先染め糸を用いるだけでなく、他の編み糸とは異なる材質の糸（例えばポリエステルの糸に対してナイロンの糸を使用する）を用いること、同じ材質の糸であっても異なる加工方法の糸を用いることにより、染色時の染まり方を変える方法がある。
【００５８】
図１４は、テープ主体部１３のサテン糸が選択的に除去された形態を示す。図１４では選択的に除去されたサテン糸が点線により示される。図１４に示すように、幾つかの形態では、テープ主体部５３には糸の選択的除去に応じたパターンが形成される。伸縮性又は柔軟性が高められた第２側縁部５２の追加の指標及び／又は生地に対するファスナーテープ５の縫い位置の指標が得られる。第２側縁部５２における鎖編糸の除去と同様、除去されるべきサテン糸として水溶性の糸を用いる形態が想定される。テープ主体部５３において除去されるべき糸は、サテン糸に限らず、鎖編糸、又はトリコット糸であり得る。鎖編糸、トリコット糸、及びサテン糸の任意の組み合わせが除去され得る。
【００５９】
上述の教示を踏まえ、当業者は、各実施形態に対して様々な変更を加えることができる。請求の範囲に盛り込まれた符号は、参考のためであり、請求の範囲を限定解釈する目的で参照されるべきものではない。
【符号の説明】
【００６０】
５            ファスナーテープ
６            ファスナーエレメント
７            ファスナーストリンガー
８            スライダー
９            スライドファスナー
５１            第１側縁部
５２            第２側縁部
５３            テープ主体部
【図１】
2020092829.tif 000003
【図２】
2020092829.tif 000004
【図３】
2020092829.tif 000005
【図４】
2020092829.tif 000006
【図５】
2020092829.tif 000007
【図６】
2020092829.tif 000008
【図７】
2020092829.tif 000009
【図８】
2020092829.tif 000010
【図９】
2020092829.tif 000011
【図１０】
2020092829.tif 000012
【図１１】
2020092829.tif 000013
【図１２】
2020092829.tif 000014
【図１３】
2020092829.tif 000015
【図１４】
2020092829.tif 000016